(57)【要約】      （修正有）【課題】簡単な構成により偏光板を精度よく組み付けて固定できる構成の表示装置を提供する。【解決手段】光を発する発光部（第１光源１０、第２光源２０）と、発光部からの光のうち、特定の偏光方向の光を通過させる偏光板（第１偏光板１５、第２偏光板２５）と、表示マークが形成され、偏光板を通過した発光部からの光を選択的に透過する表示偏光板（第１表示偏光板３０、第２表示偏光板４０）と、偏光板が収容される収容部（収容部５８ａ、５８ｂ）が形成されたパネル（ロアパネル５０）と、収容部５８ａ、５８ｂに向けて偏光板を押圧する付勢部材であるラバーコンタクト８３と、を備え、ラバーコンタクト８３は、可撓性を有する部材であり、収容部の底面５９ｃ、５９ｄに向けて収容部に接近する傾斜面８３ａ、８３ｂを有して表示装置１を構成する。【選択図】図１
2018173493.tif 000002
【特許請求の範囲】
【請求項１】
光を発する発光部と、
前記発光部からの光のうち、特定の偏光方向の光を通過させる偏光板と、
表示マークが形成され、前記偏光板を通過した前記発光部からの光を選択的に透過する表示偏光板と、
前記偏光板が収容される収容部が形成されたパネルと、
前記収容部に向けて前記偏光板を押圧する付勢部材と、を備え、
前記付勢部材は、可撓性を有する部材であり、前記収容部の底面に向けて前記収容部に接近する傾斜面を有する、表示装置。
【請求項２】
前記収容部は、溝または凹部である、請求項１に記載の表示装置。
【請求項３】
前記付勢部材は、コンタクトラバーである、請求項１又は２に記載の表示装置。
【発明の詳細な説明】
【技術分野】
【０００１】
本発明は、表示装置に関する。
【背景技術】
【０００２】
従来の技術として、構成部材をハウジングに取付けて固定する構造として、弾性部材を利用する構成が知られている（例えば、特許文献１参照）。電流検出装置におけるバスバーをハウジングに固定する固定構造は、貫通孔状のバスバー収容部が形成され、バスバー収容部にバスバーを挿通させることにより、バスバーに装着されるハウジングと、バスバーに電流が流れることにより発生する磁束を検出する検出素子が実装され、検出素子がバスバーの近傍に配置されるようにハウジングに装着された実装基板とを備え、ハウジングに形成されたバスバー収容部には、バスバーの挿入方向と直交しバスバーの側面と対向する一対の壁部のうちの一方の壁部に弾性押付部が設けられ、弾性押付部は、バスバー収容部に収容されたバスバーを一対の壁部のうちの他方の壁部に向けて押さえ付けるように構成されている。
【０００３】
この固定構造によれば、バスバーをハウジングのバスバー収容部に挿入するだけで、バスバーの側面が一方の壁部から他方の壁部に向けて押さえ付けられる。これにより、簡単且つ確実にバスバーをハウジングに固定することができる。また、弾性押付部の復元力による押付力に抗してバスバーを引き抜くだけで、容易にバスバーをハウジングから取り外すことができるとされている。
【先行技術文献】
【特許文献】
【０００４】
【特許文献１】特開２０１５−２２４８８３号公報
【発明の概要】
【発明が解決しようとする課題】
【０００５】
しかし、特許文献１の固定構造では、剛性の高いバスバーには適用可能であるが、一般的な偏光板は側面が押されると撓む。このため、一方の側面を単純に押し付けて他方の側面を壁部に固定する構成では、偏光板が湾曲してしまうという問題がある。
【０００６】
したがって、本発明の目的は、簡単な構成により偏光板を精度よく組み付けて固定できる構成の表示装置を提供することにある。
【課題を解決するための手段】
【０００７】
［１］上記目的を達成するため、光を発する発光部と、前記発光部からの光のうち、特定の偏光方向の光を通過させる偏光板と、表示マークが形成され、前記偏光板を通過した前記発光部からの光を選択的に透過する表示偏光板と、前記偏光板が収容される収容部が形成されたパネルと、前記収容部に向けて前記偏光板を押圧する付勢部材と、を備え、前記付勢部材は、可撓性を有する部材であり、前記収容部の底面に向けて前記収容部に接近する傾斜面を有する、表示装置を提供する。
【０００８】
［２］前記収容部は、溝または凹部である、上記［１］に記載の表示装置であってもよい。
【０００９】
［３］また、前記付勢部材は、コンタクトラバーである、上記［１］又は［２］に記載の表示装置であってもよい。
【発明の効果】
【００１０】
本発明の表示装置によれば、簡単な構成により偏光板を精度よく組み付けて固定できる構成の表示装置を提供することができる。
【図面の簡単な説明】
【００１１】
【図１】図１は、本発明の実施の形態に係る表示装置の断面図である。
【図２】図２は、図１においてＡ方向から第１表示偏光板、第２表示偏光板を見た上平面図（部分上平面図）である。
【図３】図３は、図１においてＢ方向から第１光源偏光板、第２光源偏光板を見た下平面図（部分下平面図）である。
【図４】図４（ａ）は、第１表示偏光板の平面図であり、図４（ｂ）は、第２表示偏光板の平面図である。
【図５】図５（ａ）は、第１光源を発光させた場合に第１表示偏光板の表示マークが表示される状態を示す上平面図であり、図５（ｂ）は、第１光源から照射した光の経路を示す断面図である。
【図６】図６（ａ）は、第２光源を発光させた場合に第２表示偏光板の表示マークが表示される状態を示す上平面図であり、図６（ｂ）は、第２光源から照射した光の経路を示す断面図である。
【発明を実施するための形態】
【００１２】
（本発明の実施の形態）
本発明の実施の形態に係る表示装置１は、光を発する発光部（第１光源１０、第２光源２０）と、発光部（第１光源１０、第２光源２０）からの光のうち、特定の偏光方向の光を通過させる偏光板（第１偏光板１５、第２偏光板２５）と、表示マークが形成され、偏光板（第１偏光板１５、第２偏光板２５）を通過した発光部（第１光源１０、第２光源２０）からの光を選択的に透過する表示偏光板（第１表示偏光板３０、第２表示偏光板４０）と、偏光板（第１偏光板１５、第２偏光板２５）が収容される収容部（収容部５８ａ、５８ｂ）が形成されたパネル（ロアパネル５０）と、収容部５８ａ、５８ｂに向けて偏光板（第１偏光板１５、第２偏光板２５）を押圧する付勢部材であるラバーコンタクト８３と、を備え、ラバーコンタクト８３は、可撓性を有する部材であり、収容部（収容部５８ａ、５８ｂ）の底面５９ｃ、５９ｄに向けて収容部（収容部５８ａ、５８ｂ）に接近する傾斜面８３ａ、８３ｂを有して構成されている。
【００１３】
また、表示装置１は、付勢部材６０が開口部側からロアパネル５０側（底面５５ｂ）に向かって圧縮されて固定されるように、アッパーパネル７０を備えている。付勢部材６０は、ロアパネル５０とアッパーパネル７０に挟まれて圧縮された状態で固定され、その圧縮時の反発力を利用して、凹部５５の壁部５５ａに表示偏光板（第１表示偏光板３０、第２表示偏光板４０）を押圧するように構成されている。
【００１４】
図１を参照しながら、本実施の形態に係る表示装置１の概略構成を説明する。表示装置１は、図１に示すように、ロアパネル５０の上側には、表示マークが形成され、発光部（第１光源１０、第２光源２０）からの光を選択的に透過する表示偏光板（第１表示偏光板３０、第２表示偏光板４０）が重ねて取り付けられている。また、ロアパネル５０の下側には、発光部（第１光源１０、第２光源２０）からの光を互いに直交する偏光方向の光にするための第１偏光板１５、第２偏光板２５が並べて取り付けられている。
【００１５】
ロアパネル５０の下側に配置されるボデーユニット８０には、第１光源１０、第２光源２０が配置されている。ボデーユニット８０は、ボデー本体８１に基板８２が取り付けられ、基板８２にはスイッチ接点（図示省略）が設けられている。また、ボデー本体８１には、このスイッチ接点のオンオフ動作を可能とする導電部（図示省略）を備えたラバーコンタクト８３が設けられている。ラバーコンタクト８３は、スイッチ接点の周囲を所定の間隙を有して設けられ、図示省略する操作部の操作により押圧されて変形して導電部のオンオフ動作を可能とする。
【００１６】
表示装置１は、第１光源１０を発光することにより、第１偏光板１５を透過した光が表示偏光板（第１表示偏光板３０、第２表示偏光板４０）で選択的に透過して、第１表示マークを表示する。また、表示装置１は、第２光源２０を発光することにより、第２偏光板２５を透過した光が表示偏光板（第１表示偏光板３０、第２表示偏光板４０）で選択的に透過して、第２表示マークを切り替え表示する。
【００１７】
以下に、図１から図４を参照しながら各構成要素を説明する。
【００１８】
（発光部、第１光源１０）
第１光源１０は、例えば、ＬＥＤ光源、レーザ光源等が使用できる。例えば、レーザ光源の場合は特定の方向に偏光成分を有するように偏光方向を調整し、また、ＬＥＤ光源等では特定の方向に偏光成分を有するように出射部に偏光素子を配置する。本実施の形態では、第１光源１０としてＬＥＤ光源を使用し、出射部に第１偏光板１５を配置する。
【００１９】
第１光源１０は、ロアパネル５０に取り付けられた第１偏光板１５を通過して、図３に示す第１偏光方向１９に偏光方向を有する光を出射する。第１光源１０から第１偏光板１５を通過して出射される光は、第１表示偏光板３０及び第２表示偏光板４０のそれぞれの偏光領域又は非偏光領域を選択的に透過する。
【００２０】
（第１偏光板１５）
第１偏光板１５は、図３に示すように、略矩形の偏光機能を備えて板状に形成されている。第１偏光板１５は、本実施の形態では、略矩形としている。
【００２１】
第１偏光板１５は、図３に示す第１偏光方向１９の光を通過させ、他の偏光方向の光を反射又は吸収する。したがって、第１偏光板１５を通った第１光源１０の光は、第１偏光方向１９の偏光成分をもつ直線偏光の光となる。
【００２２】
第１偏光板１５の一端側の基準端面１６は、第１偏光方向１９に対して所定の角度、本実施の形態では第１偏光方向１９と平行に形成されている。この基準端面１６は、ロアパネル５０に形成された壁部５９ａに当接する面である。基準端面１６の反対側には、押圧端面１７が形成されている。この押圧端面１７はボデーユニット８０の組み込みにより、可撓性を有するコンタクトラバーで押圧される端面である。
【００２３】
（発光部、第２光源２０）
第２光源２０は、例えば、ＬＥＤ光源、レーザ光源等が使用できる。例えば、レーザ光源の場合は特定の方向に偏光成分を有するように偏光方向を調整し、また、ＬＥＤ光源等では特定の方向に偏光成分を有するように出射部に偏光素子を配置する。本実施の形態では、第２光源２０としてＬＥＤ光源を使用し、出射部に第２偏光板２５を配置する。
【００２４】
第２光源２０は、ロアパネル５０に取り付けられた第２偏光板２５を通過して、図３に示す第２偏光方向２９に偏光方向を有する光を出射する。第２光源２０から第２偏光板２５を通過して出射される光は、第１表示偏光板３０及び第２表示偏光板４０のそれぞれの偏光領域又は非偏光領域を選択的に透過する。
【００２５】
（第２偏光板２５）
第２偏光板２５は、図３に示すように、略矩形の偏光機能を備えて板状に形成されている。第２偏光板２５は、本実施の形態では、略矩形としている。
【００２６】
第２偏光板２５は、図３に示す第２偏光方向２９の光を通過させ、他の偏光方向の光を反射又は吸収する。したがって、第２偏光板２５を通った第２光源２０の光は、第２偏光方向２９の偏光成分をもつ直線偏光の光となる。
【００２７】
第２偏光板２５の一端側の基準端面２６は、第２偏光方向２９対して所定の角度、本実施の形態では第２偏光方向２９と直角に形成されている。この基準端面２６は、ロアパネル５０に形成された壁部５９ｂに当接する面である。基準端面２６の反対側には、押圧端面２７が形成されている。この押圧端面２７はボデーユニット８０の組み込みにより、コンタクトラバーで押圧される端面である。
【００２８】
（表示偏光板、第１表示偏光板３０）
第１表示偏光板３０は、図２に示すように、偏光機能を備えて板状に形成され、提示フィルタとして機能する。第１表示偏光板３０は、多角形状であればよいが、本実施の形態では、矩形としている。この第１表示偏光板３０は、例えば、偏光機能を有する偏光層の上下をそれぞれ保護する保護フイルムで挟んだ偏光板である。
【００２９】
第１表示偏光板３０は、図４（ａ）に示すように、第１偏光方向１９に偏光された直線偏光の光を透過させず第２偏光方向２９に偏光された直線偏光の光を透過させる偏光領域３１と、偏光状態によらずに光を透過させる非偏光領域３２の領域を有して構成されている。したがって、第１表示偏光板３０は、発光部（第１光源１０、第２光源２０）からの光を選択的に透過して提示フィルタとして機能する。この偏光領域３１と非偏光領域３２の形状は、例えば、図４（ａ）に示すように、非偏光領域３２が丸形状に形成された表示マークとして形成され、種々のマーク、文字、図形等とすることができる。なお、後述する第２表示偏光板４０に形成された表示マークとは少なくとも一部が重複するように配置される。
【００３０】
第１表示偏光板３０の一端側の基準端面３３は、第１偏光方向１９に対して所定の角度、本実施の形態では第１偏光方向１９と平行に形成されている。この基準端面３３は、ロアパネル５０の凹部５５に形成された壁部５５ａに当接する端面である。基準端面３３の反対側には、押圧端面３４が形成されている。この押圧端面３４は付勢部材６０により押圧される端面である。
【００３１】
（表示偏光板、第２表示偏光板４０）
第２表示偏光板４０は、図２に示すように、偏光機能を備えて板状に形成され、提示フィルタとして機能する。第２表示偏光板４０は、多角形状であればよいが、本実施の形態では、矩形としている。この第２表示偏光板４０は、例えば、偏光機能を有する偏光層の上下をそれぞれ保護する保護フイルムで挟んだ偏光板である。
【００３２】
第２表示偏光板４０は、図４（ｂ）に示すように、第１偏光方向１９に偏光された直線偏光の光を透過させ第２偏光方向２９に偏光された直線偏光の光を透過させない偏光領域４１と、偏光状態によらずに光を透過させる非偏光領域４２の領域を有して構成されている。したがって、第２表示偏光板４０は、発光部（第１光源１０、第２光源２０）からの光を選択的に透過して提示フィルタとして機能する。この偏光領域４１と非偏光領域４２の形状は、例えば、図４（ｂ）に示すように、非偏光領域３２が×形状に形成された表示マークとして形成され、種々のマーク、文字、図形等とすることができる。なお、前述した第１表示偏光板３０に形成された表示マークとは少なくとも一部が重複するように配置される。
【００３３】
第２表示偏光板４０の一端側の基準端面４３は、第２偏光方向２９に対して所定の角度、本実施の形態では第２偏光方向２９と直角に形成されている。この基準端面４３は、ロアパネル５０の凹部５５に形成された壁部５５ａに当接する端面である。基準端面４３の反対側には、押圧端面４４が形成されている。この押圧端面４４は付勢部材６０により押圧される端面である。
【００３４】
（ロアパネル５０、凹部５５）
図１に示すように、ロアパネル５０は、第１偏光板１５、第２偏光板２５、第１表示偏光板３０、第２表示偏光板４０を所定の位置角度で収容し、アッパーパネル７０、ボデーユニット８０と一体に組み立てられて表示装置１を構成する。ロアパネル５０は、各偏光板が配置され、第１光源１０、第２光源２０からの光１０Ｌ、２０Ｌが通るように空洞部５１が形成された枠体として形成されている。ロアパネル５０は、例えば、樹脂等により形成される。
【００３５】
図１、図２に示すように、ロアパネル５０の上側には、第１表示偏光板３０、第２表示偏光板４０が重ねて収容される凹部５５が形成されている。この凹部５５には、第１表示偏光板３０の基準端面３３及び第２表示偏光板４０の基準端面４３が当接する壁部５５ａが形成されている。凹部５５は、上記示した基準端面３３及び基準端面４３が壁部５５ａに確実に当接できるように、第１表示偏光板３０及び第２表示偏光板４０の外径寸法よりも若干大きく形成されている。
【００３６】
凹部５５は、第１表示偏光板３０及び第２表示偏光板４０の外形状に合わせて多角形状であり、本実施の形態では、矩形としている。この凹部５５は、少なくとも１つの辺に沿って傾斜面を有するように構成されている。
【００３７】
すなわち、図１、図２に示すように、凹部５５の壁部５５ａと反対側には、凹部５５の底面５５ｂから所定の傾斜で、開口部５２側（図１において上側）に向けて開口が拡大する傾斜面５５ｃが形成されている。
【００３８】
また、図１、図２に示すように、凹部５５の周囲には、底面５５ｂから段差のある段部５３が形成されている。この段部５３は、付勢部材６０が収容される領域である。なお、段部５３内に図示された凸部は、付勢部材６０の位置決め部５３ａである。
【００３９】
（付勢部材６０）
付勢部材６０は、図１、図２に示すように、第１表示偏光板３０及び第２表示偏光板４０の上においてロアパネル５０の段部５３に収容され、ロアパネル５０とアッパーパネル７０に挟まれて固定される。付勢部材６０は、図２で示す段部５３より若干小さな板形状であって、ウレタン、ゴム等の弾性材料で形成される。本実施の形態では、ウレタン製の付勢部材を使用する。
【００４０】
図１に示すように、付勢部材６０がロアパネル５０とアッパーパネル７０に挟まれて固定された状態では、厚さ方向に弾性限度内で撓む。また、傾斜面５５ｃに当接し他の部分よりも大きな圧縮を受ける大圧縮部６０ａは、図１に示すように大きく変形し、傾斜面５５ｃから壁部５５ａへ向かって作用する押付力Ｆを発生する。この押付力Ｆは、第１表示偏光板３０の押圧端面３４、第２表示偏光板４０の押圧端面４４に作用する。これにより、第１表示偏光板３０及び第２表示偏光板４０は、それぞれの基準端面３３、基準端面４３がロアパネル５０の凹部５５に形成された壁部５５ａに当接して位置（回転位置）が決まることになる。
【００４１】
（第１表示偏光板３０及び第２表示偏光板４０のロアパネル５０への組み付け）
第１表示偏光板３０及び第２表示偏光板４０のロアパネル５０への組み付けは、まず、ロアパネル５０の凹部５５に、第１表示偏光板３０及び第２表示偏光板４０を底面５５ｂ上に重ねて乗せる。次に、第１表示偏光板３０の上に位置決め部５３ａを利用して付勢部材６０を所定の位置に乗せる。その上から、アッパーパネル７０を被せて、固定する。ロアパネル５０とアッパーパネル７０の固定は、図示省略するスナップフィット、ねじ、カシメ等、種々の方法により可能である。
【００４２】
第１表示偏光板３０及び第２表示偏光板４０は、図１で示す、付勢部材６０（ウレタン）の弾性力により発生する押付力Ｆにより、基準端面３３、基準端面４３がロアパネル５０の凹部５５に形成された壁部５５ａに当接して位置（回転位置）が決まった状態で、第１表示偏光板３０及び第２表示偏光板４０がロアパネル５０の底面５５ｂに押えられて固定される。
【００４３】
第１表示偏光板３０及び第２表示偏光板４０が組み付けられた状態では、図２に示すように、図４（ａ）、（ｂ）で示した第１表示偏光板３０の非偏光領域３２（表示マーク）と第２表示偏光板４０の非偏光領域４２（表示マーク）は、少なくとも一部が重複するように配置されている。また、第１偏光方向１９と第２偏光方向２９が直交した位置関係で、第１表示偏光板３０と第２表示偏光板４０が組み付けられている。
【００４４】
（ロアパネル５０、収容部５８ａ、５８ｂ）
図１、図３に示すように、ロアパネル５０の下側には、第１偏光板１５、第２偏光板２５がそれぞれ並べて収容される収容部５８ａ、５８ｂが形成されている。ロアパネル５０の空洞部５１の下側に、図１、図３に示すように、第１偏光板１５、第２偏光板２５をそれぞれ収容する溝又は凹部が収容部５８ａ、５８ｂとして形成されている。
【００４５】
図１、図３に示すように、収容部５８ａ、５８ｂの底面５９ｃ、５９ｄにそれぞれ第１偏光板１５、第２偏光板２５が収容され、第１偏光板１５の基準端面１６及び第２偏光板２５の基準端面２６が壁部５９ａ、５９ｂにそれぞれ当接した状態で収容される。収容部５８ａ、５８ｂは、上記示した基準端面１６及び基準端面２６がそれぞれ壁部５９ａ、５９ｂに確実に当接できるように、第１偏光板１５、第２偏光板２５の外径寸法よりも若干大きく形成されている。
【００４６】
図１、図３に示すように、基準端面１６の反対側の押圧端面１７、基準端面２６の反対側の押圧端面２７は、底面５９ｃ、５９ｄに当接しない状態とされている。これにより、押圧端面１７、２７にラバーコンタクト８３の一部が当接して、第１偏光板１５、第２偏光板２５をそれぞれ壁部５９ａ、５９ｂに押し当てることができる。
【００４７】
（ボデーユニット８０）
ボデーユニット８０は、ボデー本体８１、基板８２、基板８２に実装された第１光源１０、第２光源２０、回路部（図示省略）、スイッチ接点（図示省略）、スイッチ接点のオンオフ動作を可能とする導電部（図示省略）を備えたラバーコンタクト８３が組み立てられたユニットである。このボデーユニット８０は、ロアパネル５０の下側に配置されて組み付け、固定される。
【００４８】
ラバーコンタクト８３は、スイッチ接点の周囲を所定の間隙を有して覆うように設けられ、図示省略する操作部の操作により押圧されて変形して導電部のオンオフ動作を可能とする。ラバーコンタクト８３は、シリコンゴム等の弾性部材で形成された可撓性を有する部材である。図１に示すように、このラバーコンタクト８３のロアパネル５０側の一部には、傾斜面８３ａ、８３ｂが形成されている。
【００４９】
図１に示すように、ボデーユニット８０をロアパネル５０に組み付ける際、及び、ロアパネル５０に固定した場合に、ラバーコンタクト８３の傾斜面８３ａ、８３ｂは、その傾斜面を底面５９ｃ、５９ｄに向けて収容部５８ａ、５８ｂに接近する。これにより、収容部５８ａ、５８ｂに収容された第１偏光板１５、第２偏光板２５を収容部５８ａ、５８ｂに向けて押圧することができる。すなわち、傾斜面８３ａ、８３を備えた可撓性を有するラバーコンタクト８３は、第１偏光板１５、第２偏光板２５に対して、付勢部材として機能する。
【００５０】
なお、ラバーコンタクト８３は、付勢部材の一例であって、可撓性を有する弾性部材で形成された他の付勢手段を付勢部材として使用することができる。例えば、コンタクト（接点）を有さない弾性部材である防水ラバーを付勢部材として使用してもよい。
【００５１】
（第１偏光板１５及び第２偏光板２５のロアパネル５０への組み付け）
第１偏光板１５及び第２偏光板２５のロアパネル５０への組み付けは、まず、ロアパネル５０の収容部５８ａ、５８ｂ（底面５９ｃ、５９ｄ）が上側になるようにロアパネル５０をセットする。この状態で、ロアパネル５０の収容部５８ａ、５８ｂ（底面５９ｃ、５９ｄ）に、それぞれ、第１偏光板１５、第２偏光板２５を乗せる。
【００５２】
次に、第１偏光板１５、第２偏光板２５の上から、ボデーユニット８０をロアパネル５０に組み付ける。ボデーユニット８０をロアパネル５０に組み付けるために、ロアパネル５０に向かって移動させると、ラバーコンタクト８３の傾斜面８３ａは、第１偏光板１５の押圧端面１７に接近し、当接する。傾斜面８３ａは、第１偏光板１５の押圧端面１７に当接した状態で、第１偏光板１５を収容部５８ａの底面５９ｃに押し付けながら、収容部５８ａの壁部５９ａに向かって移動させる。
【００５３】
ボデーユニット８０をロアパネル５０に組み付け完了した状態では、第１偏光板１５の基準端面１６が収容部５８ａの壁部５９ａに当接し、かつ、押圧端面１７が傾斜面８３ａに当接し、かつ、第１偏光板１５が収容部５８ａの底面５９ｃに押し付けられ付勢された状態となる。
【００５４】
同様にして、第２偏光板２５もラバーコンタクト８３の傾斜面８３ｂにより位置決めされて、ボデーユニット８０をロアパネル５０に組み付け完了した状態では、第２偏光板２５の基準端面２６が収容部５８ｂの壁部５９ｂに当接し、かつ、押圧端面２７が傾斜面８３ｂに当接し、かつ、第２偏光板２５が収容部５８ｂの底面５９ｄに押し付けられ付勢された状態となる。
【００５５】
上記のように第１偏光板１５及び第２偏光板２５が組み付けられた状態では、図３に示すように、第１偏光方向１９と第２偏光方向２９が直交した位置関係で、第１偏光板１５と第２偏光板２５が組み付けられている。
【００５６】
（第１表示偏光板３０に形成された表示マークの表示動作）
第１光源１０を発光させると、図５（ｂ）に示すように、第１光源１０から第１偏光板１５を通して第１偏光方向１９に偏光方向を有する光１０Ｌが出射する。この光は、第１表示偏光板３０及び第２表示偏光板４０に照射される。この光１０Ｌは、第１偏光方向１９に偏光方向を有するので、第１表示偏光板３０の非偏光領域３２及び第２表示偏光板４０の全領域を透過する。したがって、図５（ａ）で示す非偏光領域３２の表示マーク（○印）が表示される。非偏光領域３２以外の領域は光１０Ｌが透過せず、したがって表示されない。
【００５７】
（第２表示偏光板４０に形成された表示マークの表示動作）
第２光源２０を発光させると、図６（ｂ）に示すように、第２光源２０から第２偏光板２５を通して第２偏光方向２９に偏光方向を有する光２０Ｌが出射する。この光は、第１表示偏光板３０及び第２表示偏光板４０に照射される。この光２０Ｌは、第２偏光方向２９に偏光方向を有するので、第２表示偏光板４０の非偏光領域４２及び第１表示偏光板３０の全領域を透過する。したがって、図６（ａ）で示す非偏光領域４２の表示マーク（×印）が表示される。非偏光領域４２以外の領域は光２０Ｌが透過せず、したがって表示されない。
【００５８】
（実施の形態の効果）
本発明の実施の形態によれば、以下のような効果を有する。
（１）本実施の形態に係る表示装置１は、光を発する発光部（第１光源１０、第２光源２０）と、発光部（第１光源１０、第２光源２０）からの光のうち、特定の偏光方向の光を通過させる偏光板（第１偏光板１５、第２偏光板２５）と、表示マークが形成され、偏光板（第１偏光板１５、第２偏光板２５）を通過した発光部（第１光源１０、第２光源２０）からの光を選択的に透過する表示偏光板（第１表示偏光板３０、第２表示偏光板４０）と、偏光板（第１偏光板１５、第２偏光板２５）が収容される収容部（収容部５８ａ、５８ｂ）が形成されたパネル（ロアパネル５０）と、収容部５８ａ、５８ｂに向けて偏光板（第１偏光板１５、第２偏光板２５）を押圧する付勢部材であるラバーコンタクト８３と、を備え、ラバーコンタクト８３は、可撓性を有する部材であり、収容部（収容部５８ａ、５８ｂ）の底面５９ｃ、５９ｄに向けて収容部（収容部５８ａ、５８ｂ）に接近する傾斜面８３ａ、８３ｂを有して構成されている。これにより、付勢部材として機能する可撓性を有するラバーコンタクト８３の傾斜面８３ａ、８３ｂを利用して偏光板（第１偏光板１５及び第２偏光板２５）を収容部５８ａ、５８ｂの壁部５９ａ、５９ｂに常に押し当てることができる。したがって、簡単な構成により偏光板を精度よく組み付けて固定できる構成の表示装置を提供することができる。
（２）第１偏光板１５及び第２偏光板２５のロアパネル５０への組み付けは、まず、ロアパネル５０の収容部５８ａ、５８ｂ（底面５９ｃ、５９ｄ）が上側になるようにロアパネル５０をセットする。この状態で、ロアパネル５０の収容部５８ａ、５８ｂ（底面５９ｃ、５９ｄ）に、それぞれ、第１偏光板１５、第２偏光板２５を乗せる。次に、第１偏光板１５、第２偏光板２５の上から、ボデーユニット８０をロアパネル５０に組み付ける。ボデーユニット８０をロアパネル５０に組み付けるために、ロアパネル５０に向かって移動させると、ラバーコンタクト８３の傾斜面８３ａは、第１偏光板１５の押圧端面１７に接近し、当接する。傾斜面８３ａは、第１偏光板１５の押圧端面１７に当接した状態で、第１偏光板１５を収容部５８ａの底面５９ｃに押し付けながら、収容部５８ａの壁部５９ａに向かって移動させる。ボデーユニット８０をロアパネル５０に組み付け完了した状態では、第１偏光板１５の基準端面１６が収容部５８ａの壁部５９ａに当接し、かつ、押圧端面１７が傾斜面８３ａに当接し、かつ、第１偏光板１５が収容部５８ａの底面５９ｃに押し付けられ付勢された状態となる。第２偏光板２５も同様に、ラバーコンタクト８３の傾斜面８３ｂにより位置決めされて、ボデーユニット８０をロアパネル５０に組み付け完了した状態では、第２偏光板２５の基準端面２６が収容部５８ｂの壁部５９ｂに当接し、かつ、押圧端面２７が傾斜面８３ｂに当接し、かつ、第２偏光板２５が収容部５８ｂの底面５９ｄに押し付けられ付勢された状態となる。よって、人の気づかい作業なくして、第１偏光板１５及び第２偏光板２５を精度よくロアパネル５０へ組み付けることができる。
（３）また、上記のように、第１偏光板１５及び第２偏光板２５を精度よく組み付けることができるので、各部品の要求精度が緩和される。これにより、工程管理の低減、コストダウン等が可能となる。
【００５９】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００６０】
１…表示装置、１０…第１光源、１０Ｌ…光、１５…第１偏光板、１６…基準端面、１７…押圧端面、１９…第１偏光方向、２０…第２光源、２０Ｌ…光、２５…第２偏光板、２６…基準端面、２７…押圧端面、２９…第２偏光方向、３０…第１表示偏光板、３１…偏光領域、３２…非偏光領域、３３…基準端面、３４…押圧端面、４０…第２表示偏光板、４１…偏光領域、４２…非偏光領域、４３…基準端面、４４…押圧端面、５０…ロアパネル、５１…空洞部、５２…開口部、５３…段部、５３ａ…位置決め部、５５…凹部、５５ａ…壁部、５５ｂ…底面、５５ｃ…傾斜面、５８ａ、５８ｂ…収容部、５９ａ、５９ｂ…壁部、５９ｃ、５９ｄ…底面、６０…付勢部材、６０ａ…大圧縮部、７０…アッパーパネル、８０…ボデーユニット、８１…ボデー本体、８２…基板、８３…ラバーコンタクト、８３ａ、８３ｂ…傾斜面
【図１】
2018173493.tif 000003
【図２】
2018173493.tif 000004
【図３】
2018173493.tif 000005
【図４】
2018173493.tif 000006
【図５】
2018173493.tif 000007
【図６】
2018173493.tif 000008